【事件の表示】
　特願２０１１−１７９６６８「携帯機器の制御方法および携帯機器」拒絶査定不服審判事件〔平成２３年１１月１７日出願公開、特開２０１１−２３３１７５〕について、次のとおり審決する。
【結　論】
　本件審判の請求は、成り立たない。
【理　由】
１．手続の経緯
　本願は、平成１９年６月２０日に出願した特願２００７−１６２７２５号の一部を平成２３年８月１９日に新たな特許出願としたものであって、同年１０月３日付けで拒絶理由が通知され、同年１２月１２日付けで意見書及び手続補正書が提出され、平成２４年１月１２日付けで拒絶査定がなされ、これに対し、同年４月１６日に審判請求及び手続補正がなされたものである。
　
２．本願発明
　本願の特許請求の範囲の請求項１に記載された発明（「本願発明」という。以下同様。）は、明細書及び図面の記載からみて、本願の特許請求の範囲の請求項１に記載されたとおりの次のものと認める。
　
　「携帯機器の制御方法であって、
　前記携帯機器は、切替ボタンが１つ表示された第１キーレイアウトが表示された状態で、当該表示された切替ボタンが押されると、前記第１キーレイアウトとはキーレイアウトが異なる第２キーレイアウトに切り替える
　ことを特徴とする制御方法。」
　
３．引用発明
　
　原査定の拒絶の理由で引用した特開２００６−１８５０６４号公報（平成１８年７月１３日出願公開。以下、「引用文献」という。）には図面とともに以下の事項が記載されている。
　
　ａ．「【０００３】
　図１（ａ）は、従来のデータ処理装置２の外観を示す図である。データ処理装置２は、アプリケーションプログラムを実行するための制御部や記憶部などを備える筐体２ａと、
操作画面を表示するＣＲＴディスプレイ等からなる表示部１１と、液晶表示パネル(ＬＣＤ)等の表示装置に座標入力タブレット(例えば、表面に透明電極が格子状に配置された感圧式（抵抗膜圧式）のパネル)を重ねて配置したタッチパネル、及びキーボードからなる入力装置１６
【０００４】
　図１（ｂ）は、データ処理装置２における業務処理を行うアプリケーションプログラムの構成図である。業務処理は、業務に関するデータ処理などを行う業務アプリケーション３１と、タッチパネルの表示装置や表示部１１の操作画面上におけるソフトウエアキーボードの表示形態を入力データ形態や処理状況に合わせて制御するキーボード制御アプリケーション３２と、その制御指示に応じたソフトウエアキーボードを表示して指示入力された文字データをキーボード制御アプリケーション３２へ通知するソフトキーボードアプリケーション３３とが、制御情報と指示入力された文字データとを互いに通知して実行される。
【０００５】
　図２（ａ）は、
タッチパネルの表示装置上に表示されるソフトキーボード画面５０を示す図である。ソフトキーボード画面５０は、文字列を編集して入力するための文字列編集領域５１と、入力するキーボードを選択するキーボード選択領域５２と、その選択されたキーボードを表示してユーザからの操作指示により文字を入力するキーボード表示領域５３と、を備える
【０００６】
　文字列編集領域５１は、文字列を編集して業務アプリケーションプログラムに入力するための表示領域であり、文字編集を行う文字列エディタ６１と、その編集上における文字を入力できる位置を示すカーソル６２と、入力文字の全角／半角を切替える全角半角切替えボタン６３と、カーソルを移動させるカーソル移動ボタン６４と、編集中の文字列に対して予め備える辞書データにより対応する漢字などへの変換を行う変換ボタン６５と、編集が終わった文字列を業務アプリケーション３１の業務データへ入力する転送ボタン６６と、を備える。
【０００７】
　
キーボード選択領域５２は、入力するためのキーボードを選択するボタンを表示する領域であり、後述するキーボード表示領域５３に表示されるキーボードを選択するためのボタンである手書きキーボード選択ボタン６７、ひらがなキーボード選択ボタン６８、及び英数字キーボード選択ボタン６９を備える
【０００８】
　
キーボード表示領域５３は、選択されたキーボードを表示して入力ペンＰにより操作指示を入力する領域であり、手書き入力された図形の形状から文字を識別してカーソル位置へ入力する
【０００９】
　図２（ｂ）は、
上記キーボード選択領域５２において「ひらがな」が選択された場合にキーボード表示領域５３に表示されるキーボードであるひらがなキーボードウインドウ８２を示す図である。同様に、図２（ｃ）は、「英数字」が選択された場合に表示される英数字キーボードウインドウ８３を示す図である
　
　上記の記載から、引用文献には以下の発明（以下、「引用発明」という。）が記載されている。
〈引用発明〉
　操作画面を表示するＣＲＴディスプレイ等からなる表示部１１と、液晶表示パネル(ＬＣＤ)等の表示装置に座標入力タブレット(例えば、表面に透明電極が格子状に配置された感圧式（抵抗膜圧式）のパネル)を重ねて配置したタッチパネル、及びキーボードからなる入力装置１６において、
　タッチパネルの表示装置上にソフトキーボード画面５０が表示され、ソフトキーボード画面５０は、文字列を編集して入力するための文字列編集領域５１と、入力するキーボードを選択するキーボード選択領域５２と、その選択されたキーボードを表示してユーザからの操作指示により文字を入力するキーボード表示領域５３と、を備えるもので、
　当該キーボード選択領域５２は、入力するためのキーボードを選択するボタンを表示する領域であり、キーボード表示領域５３に表示されるキーボードを選択するためのボタンである手書きキーボード選択ボタン６７、ひらがなキーボード選択ボタン６８、及び英数字キーボード選択ボタン６９を備え、
　キーボード表示領域５３は、選択されたキーボードを表示して入力ペンＰにより操作指示を入力する領域であり、手書き入力された図形の形状から文字を識別してカーソル位置へ入力するもので、
　キーボード選択領域５２において「ひらがな」が選択された場合にキーボード表示領域５３にキーボードであるひらがなキーボードウインドウ８２が表示され、
　同様に、「英数字」が選択された場合に英数字キーボードウインドウ８３が表示される、
　キーボード選択方法。
　
４．対比
　本願発明と引用発明とを対比する。
Ａ．引用発明の「入力装置１６」は、「表示装置に座標入力タブレット(例えば、表面に透明電極が格子状に配置された感圧式（抵抗膜圧式）のパネル)を重ねて配置したタッチパネル、及びキーボードからなる」もので、「キーボード」を表示するものであり、本願発明の「携帯機器」と、「キーレイアウト」を表示する「機器」である点で共通している。
Ｂ．引用発明の「キーボードを選択するためのボタン」は「キーボード選択領域５２」に表示されるものであり、、本願発明の表示される「切替ボタン」に相当し、そして、引用発明は「キーボード選択領域５２において「ひらがな」が選択された場合にキーボード表示領域５３にキーボードであるひらがなキーボードウインドウ８２が表示され、同様に、「英数字」が選択された場合に英数字キーボードウインドウ８３が表示される」ことから、本願発明の「第１キーレイアウトが表示された状態で、当該表示された切替ボタンが押されると、前記第１キーレイアウトとはキーレイアウトが異なる第２キーレイアウトに切り替える」との構成を備えるものである。
　
　したがって、両者は、以下の一致点と相違点とを有する。
〈一致点〉
　機器の制御方法であって、
　前記機器は、切替ボタンが表示された第１キーレイアウトが表示された状態で、当該表示された切替ボタンが押されると、前記第１キーレイアウトとはキーレイアウトが異なる第２キーレイアウトに切り替える
　ことを特徴とする制御方法。
〈相違点１〉
　表示される切替ボタンが、本願発明では、「１つ」であるのに対し、引用発明では、手書きキーボード選択ボタン、ひらがなキーボード選択ボタン及び英数字キーボード選択ボタンの３つである点。
〈相違点２〉
　機器が、本願発明では、携帯機器であるのに対し、引用発明では、入力装置である点。
　
５．検討・判断
相違点につき検討する。
〈相違点１について〉
　一般に、画面に表示する内容を切り替える場合に、一つの切替ボタンを表示し、その切替えボタンを押すことにより、画面に表示する内容を切り替えるようにすることは、周知の事項（例えば、特開２００７−６６１３１号公報（【００７９】〜【００８１】）、特開２００７−８７０１８号公報（【０００６】）、特開２００７−１４７３８５号公報（【００９１】）、特表２００１−５０９２９０号公報（１９頁５行〜９行）を参照、特に特開２００７−８７０１８号公報には、入力モードを切り替える「入力モード切替ボタン」を表示することが記載されている。）である。
　また、引用発明において、選択できるキーボードの数をいくつにするかは、その入力すべき文字種や入力の使い勝手等を考慮して適宜定めることができる設計的事項である。
　したがって、上記の点を勘案すれば、引用発明において、選択できるキーボードを２つとし、そして、上記周知の事項を適用し、切替えボタンを二つのものを選択できる一つの切替えボタンとし、相違点１に係る構成とすることは、当業者が容易になし得るものである。
　
〈相違点２について〉
　複数のキーボード（ソフトウエアキーボード）を切り替えて表示するようにした携帯機器は、周知の事項（例えば、上記に提示した特開２００７−６６１３１号公報の段落【００２４】、特表２００１−５０９２９０号公報（第１１頁、第７乃至１６行の記載及び１９頁５行〜９行の記載。））である。
　そして、引用発明は、入力装置１６に表示されるソフトウエアキーボードの切替えに関する発明であり、引用発明を、同様に複数のキーボード（ソフトウエアキーボード）を切り替えて表示するようにした携帯機器に適用するにあたり、適用を阻害する事由は認められない。
　してみると、引用発明におけるキーボード切替えに関する技術を携帯機器に適用し、相違点２に係る発明とすることは、当業者が容易になし得るものである。
　
　また、本願発明の構成によって得られる作用効果は、引用発明と、当該技術分野における設計的事項や周知の事項からなる構成により得られる作用効果からみて格別のものであるともいえない。
　したがって、本願発明は、引用発明に基づいて当業者が容易に発明をすることができた発明である。
　
６．むすび
　以上のとおり、本願発明は、引用発明に基づいて当業者が容易に発明をすることができた発明であるから、特許法第２９条第２項の規定により特許を受けることができない。
　よって、結論のとおり審決する。